(57)【要約】      （修正有）【課題】スペース効率に優れ、小型化の要請に対応することができるスイッチ装置を提供する。【解決手段】収納部２０１を有し、固定接点３１１と切換接点３２１とが設けられた略矩形状のケースと、巻回部とこの巻回部から所定の開放角度を存して延びる一対の弾性腕部４０２、４０３とを有する捻りコイルばねからなる可動接点と、回動可能にケースに保持される操作部材５とを備え、一対の弾性腕部４０２、４０３が固定接点３１１と操作部材５との間で保持され、操作部材５の回動操作に伴って弾性腕部４０２を切換接点３２１に接離させるスイッチ装置１であって、巻回部は、ケースの隅部に対応した位置における収納部２０１に保持されると共に、切換接点３２１は、上記隅部と対角線上に位置する他の隅部側の収納部２０１に配置されていることを特徴とする。【選択図】図６
0003155402.tif 000002
【実用新案登録請求の範囲】
【請求項１】
収納部を有し、固定接点と切換接点とが設けられた略矩形状のケースと、巻回部とこの巻回部から所定の開放角度を存して延びる一対の弾性腕部とを有する捻りコイルばねからなる可動接点と、回動可能に前記ケースに保持される操作部材とを備え、前記一対の弾性腕部が前記固定接点と前記操作部材との間で保持され、当該操作部材の回動操作に伴って一方の前記弾性腕部を前記切換接点に接離させるスイッチ装置であって、前記巻回部は、前記ケースの隅部に対応した位置における前記収納部に保持されると共に、前記切換接点は、前記隅部と対角線上に位置する他の隅部側の前記収納部に配置されていることを特徴とするスイッチ装置。
【請求項２】
前記切換接点は、前記一方の弾性腕部を挟持可能な一対の接点部を備えており、これら一対の接点部が前記対角線と略直交する方向に対向状態で延びていると共に、一対の前記接点部を連結する折り曲げ形成された弾性連結部が前記他の隅部側に設けられていることを特徴とする請求項１記載のスイッチ装置。
【請求項３】
前記弾性連結部を、前記接点部の両端部の間に複数設けたことを特徴とする請求項２記載のスイッチ装置。
【請求項４】
一対の前記接点部は、前記収納部の内底面側に位置する下方側の接点部が上方側の接点部よりも幅広の部分を備えていることを特徴とする請求項２又は請求項３記載のスイッチ装置。
【請求項５】
前記切換接点と導通する端子が前記ケースの外部に延出しており、前記切換接点と前記端子とは異なる金属板により形成され、一方の金属板に形成した孔部に他方の金属板に設けた突出部を挿通させて当該突出部を前記孔部の周囲で変形させることにより両金属板を一体化すると共に、前記孔部及び突出部を、前記ケースを構成する樹脂に埋設したことを特徴とする請求項２から請求項４のいずれかに記載のスイッチ装置。
【請求項６】
前記収納部の内底面の前記隅部には、前記可動接点の前記巻回部が挿通される突出部が設けられると共に、この突出部には段部を介して当該突出部よりも細い軸部が形成されており、前記操作部材は、基部とこの基部に形成され前記軸部に回動支持される孔を有し、前記巻回部が前記ケースの内底面と前記操作部材の基部との間で保持された状態で前記基部の孔が前記軸部に回動可能に挿通され、前記操作部材が収納された状態の前記収納部を覆うように取付部材が取り付けられることを特徴とする請求項１から請求項５のいずれかに記載のスイッチ装置。
【請求項７】
前記可動接点の一対の前記弾性腕部は、前記切換接点と接離する前記一方の弾性腕部が、前記固定接点と常時当接する他方の弾性腕部よりも前記ケースの内底面側となるように構成されており、前記固定接点は、起立部とこの起立部から先端がＬ字状に折り曲げられた折り曲げ部を有し、前記捻りコイルばねの弾性力により、前記他方の弾性腕部が前記起立部及び折り曲げ部に弾接していることを特徴とする請求項６記載のスイッチ装置。
【請求項８】
前記捻りコイルばねは、前記可動接点の一対の前記弾性腕部が前記巻回部から直線状に延伸すると共に、当該一対の前記弾性腕部の中間位置であって前記巻回部の中央部を通る線で線対称に設けられていることを特徴とする請求項１から請求項７のいずれかに記載のスイッチ装置。
【考案の詳細な説明】
【技術分野】
【０００１】
本考案は、スイッチ装置に関し、特に、操作レバーの回動操作に伴ってオン／オフの切換えを行うことができるスイッチ装置に関する。
【背景技術】
【０００２】
従来、巻回部とこの巻回部の両端から所定の開放角度を有して一方向に延びる自由端状の第１、第２腕部を有する捻りコイルばねと、この捻りコイルばねが取り付けられる操作レバーとを備え、捻りコイルばねの第１腕部を固定接点に常時弾接させる一方、第２腕部を操作レバーの当接部に弾接させ、操作レバーの回動操作に伴って第２の腕部を、クリップ状に形成された一対の接点部を有する切換接点と接離させるスイッチ装置が提案されている（例えば、特許文献１参照）。このスイッチ装置によれば、切換接点において、クリップ状に形成された一対の接点部間に弾接挟持した状態で第２の腕部をスライド移動させることができるので、スイッチオン時の接触の安定性を向上させると共に、スイッチオン位置のバラツキをなくすことができるものとなっている。
【先行技術文献】
【特許文献】
【０００３】
【特許文献１】特許第４０４４３６４号公報
【考案の概要】
【考案が解決しようとする課題】
【０００４】
しかしながら、上述した従来のスイッチ装置においては、捻りコイルばねの巻回部や切換接点が、スイッチ装置のケースの幅方向の略中央位置に配置されていることから、装置自体の更なる小型化の要請に対応することが困難であるという問題がある。
【０００５】
本考案はかかる問題点に鑑みて為されたものであり、スペース効率に優れ、小型化の要請に対応することができるスイッチ装置を提供することを目的とする。
【課題を解決するための手段】
【０００６】
本考案のスイッチ装置は、収納部を有し、固定接点と切換接点とが設けられた略矩形状のケースと、巻回部とこの巻回部から所定の開放角度を存して延びる一対の弾性腕部とを有する捻りコイルばねからなる可動接点と、回動可能に前記ケースに保持される操作部材とを備え、前記一対の弾性腕部が前記固定接点と前記操作部材との間で保持され、当該操作部材の回動操作に伴って一方の前記弾性腕部を前記切換接点に接離させるスイッチ装置であって、前記巻回部は、前記ケースの隅部に対応した位置における前記収納部に保持されると共に、前記切換接点は、前記隅部と対角線上に位置する他の隅部側の前記収納部に配置されていることを特徴とする。
【０００７】
上記スイッチ装置によれば、可動接点を構成する捻りコイルばねの巻回部と切換接点とが矩形状のケースの対角線上に対向配置されるようにしたことから、収納部の隅部を有効に活用することができるので、スペース効率に優れ、小型化の要請に対応することができるスイッチ装置を提供することが可能となる。
【０００８】
本考案のスイッチ装置において、前記切換接点は、前記一方の弾性腕部を挟持可能な一対の接点部を備えており、これら一対の接点部が前記対角線と略直交する方向に対向状態で延びていると共に、一対の前記接点部を連結する折り曲げ形成された弾性連結部が前記他の隅部側に設けられていることが好ましい。この場合には、一方の弾性腕部を一対の接点部で挟持することができるので、接触安定性に優れたスイッチ装置を提供することが可能となる。また、一対の接点部が上記対角線と略直交する方向に延びることから、一対の接点部における一方の弾性腕部との接触位置を略同一箇所に統一することができるので、異なる位置で当該弾性腕部と接触する場合と比べて安定した復帰性を確保することが可能となる。
【０００９】
なお、本考案のスイッチ装置においては、前記弾性連結部を、前記接点部の両端部の間に複数設けるようにしても良い。この場合には、切換接点の全体に亘って接点荷重を均一化することができるので、一対の接点部で挟持される一方の弾性腕部の移動量が大きなものであっても、確実に初期状態に復帰させることが可能となる。
【００１０】
また、本考案のスイッチ装置において、一対の前記接点部は、前記収納部の内底面側に位置する下方側の接点部が上方側の接点部よりも幅広の部分を備えていることが好ましい。この場合には、下方側の接点部の幅広部分を上方側の接点部から露出させることができ、この幅広部分に可動接点の潤滑材を容易に塗布することが可能となる。
【００１１】
さらに、本考案のスイッチ装置においては、前記切換接点と導通する端子が前記ケースの外部に延出しており、前記切換接点と前記端子とは異なる金属板により形成され、一方の金属板に形成した孔部に他方の金属板に設けた突出部を挿通させて当該突出部を前記孔部の周囲で変形させることにより両金属板を一体化すると共に、前記孔部及び突出部を、前記ケースを構成する樹脂に埋設することが好ましい。この場合には、切換接点と端子とを異なる金属板により構成していることから、切換接点を構成する高価な金属材料の使用量を抑えることができるので、低コスト化を実現すると共に、端子の引き出し位置の自由度を高めることが可能となる。
【００１２】
さらに、本考案のスイッチ装置において、前記収納部の内底面の前記隅部には、前記可動接点の前記巻回部が挿通される突出部が設けられると共に、この突出部には段部を介して当該突出部よりも細い軸部が形成されており、前記操作部材は、基部とこの基部に形成され前記軸部に回動支持される孔を有し、前記巻回部が前記ケースの内底面と前記操作部材の基部との間で保持された状態で前記基部の孔が前記軸部に回動可能に挿通され、前記操作部材が収納された状態の前記収納部を覆うように取付部材が取り付けられることが好ましい。この場合には、捻りコイルばねの巻回部が、突出部に挿通された状態で、ケースと操作部材の基部との間で保持されることから、組立途中で捻りコイルばねが外れる事態を防止でき、スイッチ装置の組立性を向上することが可能となる。
【００１３】
さらに、本考案のスイッチ装置においては、前記可動接点の一対の前記弾性腕部は、前記切換接点と接離する前記一方の弾性腕部が、前記固定接点と常時当接する他方の弾性腕部よりも前記ケースの内底面側となるように構成されており、前記固定接点は、起立部とこの起立部から先端がＬ字状に折り曲げられた折り曲げ部を有し、前記捻りコイルばねの弾性力により、前記他方の弾性腕部が前記起立部及び折り曲げ部に弾接していることが好ましい。この場合には、他方の弾性腕部が固定接点の折り曲げ部で係止されることから、捻りコイルばねをケースに組み付ける際の作業を簡素化でき、更にスイッチ装置の組立性を向上することが可能となる。また、固定接点と他方の弾性腕部とを、捻りコイルばねの弾性力によって複数箇所で接触させていることから、両者の電気的な接続（導通）の信頼性を高めることができる。
【００１４】
特に、本考案のスイッチ装置において、前記捻りコイルばねは、前記可動接点の一対の前記弾性腕部が前記巻回部から直線状に延伸すると共に、当該一対の前記弾性腕部の中間位置であって前記巻回部の中央部を通る線で線対称に設けられていることが好ましい。この場合には、一対の弾性腕部が直線状に延伸すると共に、線対称に設けられていることから、巻回部を突出部に挿通する際の方向性を無くすことができ、生産性を向上することが可能となる。
【考案の効果】
【００１５】
本考案によれば、可動接点を構成する捻りコイルばねの巻回部と切換接点とが矩形状のケースの対角線上に対向配置されるようにしたことから、収納部の隅部を有効活用することができるので、スペース効率に優れ、小型化の要請に対応することができるスイッチ装置を提供することが可能となる。
【図面の簡単な説明】
【００１６】
【図１】本考案の一実施の形態に係るスイッチ装置の全体構成を示す分解斜視図である。
【図２】上記実施の形態に係るスイッチ装置が有する第２切換接点部材の構成を示す斜視図（ａ）及び上面図（ｂ）である。
【図３】上記実施の形態に係るスイッチ装置を組み立てた状態の斜視図である。
【図４】上記実施の形態に係るスイッチ装置を組み立てた状態の側断面図である。
【図５】図３に示すスイッチ装置から取付部材を取り除いた状態のスイッチ装置の斜視図である。
【図６】図３に示すスイッチ装置から取付部材を取り除いた状態のスイッチ装置の上面図である。
【図７】上記実施の形態に係るスイッチ装置が有するケースの上面図である。
【図８】上記実施の形態に係るスイッチ装置が有するケースにコイルばねを組み込んだ状態の上面図である。
【図９】上記実施の形態に係るスイッチ装置における動作を説明するための上面図である。
【図１０】上記実施の形態に係るスイッチ装置における動作を説明するための上面図である。
【図１１】上記実施の形態に係るスイッチ装置が有する切換接点の他の構成を説明するための図である。
【考案を実施するための形態】
【００１７】
以下、本考案の一実施の形態について添付図面を参照して詳細に説明する。
図１は、本考案の一実施の形態に係るスイッチ装置１の全体構成を示す分解斜視図である。図２は、本実施の形態に係るスイッチ装置１が有する第２切換接点部材３２０ｂの構成を示す斜視図（ａ）及び上面図（ｂ）である。図３は、本実施の形態に係るスイッチ装置１を組み立てた状態の斜視図である。なお、図１においては、説明の便宜上、ケース２に埋設される接点部材３をケース２から分離して示している。
【００１８】
図１に示すように、本実施の形態に係るスイッチ装置１は、上方に開口した収納部２０１を有するケース２と、このケース２にインサート成形等により埋設される接点部材３と、ケース２の収納部２０１に立設された突出部２０３に取り付けられる捻りコイルばね（以下、単に「コイルばね」という）４と、後述する固定接点３１１との間でコイルばね４を保持し、操作者からの回動操作を受け付ける操作部材５と、コイルばね４及び操作部材５を収納した状態の収納部２０１を覆うようにケース２に取り付けられる取付部材６とを備えている。
【００１９】
ケース２は、例えば、絶縁性の樹脂材料で成形されており、概して矩形状を有している。ケース２の内部には、ケース２の外形に対応する、概して矩形状の収納部２０１が設けられており、この収納部２０１の内底面２０２から後述する固定接点３１１及び切換接点３２１が露出するように接点部材３がケース２に埋設されている。収納部２０１の内底面２０２の隅部には、後述するコイルばね４の巻回部４０１が挿通される円柱形状の突出部２０３が立設されている。また、この突出部２０３の上面には、段部を介して突出部２０３よりも細い軸部２０４が設けられている。この軸部２０４は、後述する操作部材５の孔５０３に挿通され、当該操作部材５を回動可能に保持する。収納部２０１は、上述した内底面２０２と、ケース２の対向する二対の側壁部２０５ａ、２０５ｂ及び２０６ａ、２０６ｂとにより規定されている。側壁部２０６ｂの一部には、開口部２０７が形成されており、この開口部２０７から操作部材５の一部をケース２の外側に露出できるものとなっている。
【００２０】
接点部材３は、固定接点３１１を有する固定接点部材３１０と、切換接点３２１を有する切換接点部材３２０とを有している。固定接点部材３１０は、黄銅等の金属板に打ち抜き加工及び折り曲げ加工を施すことで形成され、概して平面形状部３１２と、この平面形状部３１２と略垂直に折り曲げられた起立部３１３と、この起立部３１３から先端が切換接点３２１側を向くように、Ｌ字状に折り曲げられた折り曲げ部３１４とを有している。固定接点３１１は、これらの起立部３１３及び折り曲げ部３１４で構成されている。平面形状部３１２には、この固定接点３１１と導通する外部出力端子３１５が設けられている。
【００２１】
切換接点部材３２０は、黄銅等の金属板に打ち抜き加工及び折り曲げ加工を施すことで形成される第１切換接点部材３２０ａと、りん青銅等に銀めっきした金属板に打ち抜き加工及び折り曲げ加工を施すことで形成される第２切換接点部材３２０ｂとを有している。第１切換接点部材３２０ａは、平面形状部３２２と、この平面形状部３２２の上面に設けられた一対の突出部３２２ａ、３２２ｂと、平面形状部３２２の側縁部から突出して設けられ、切換接点３２１と導通する外部出力端子３２３とを有している。
【００２２】
第２切換接点部材３２０ｂは、図２（ａ）に示すように、第１切換接点部材３２０ａの一対の突出部３２２ａ、３２２ｂが挿通される一対の孔部３２４が形成された固定面部３２５と、この固定面部３２５の両側縁部から突出して設けられ、先端部が切換接点３２１に連結される弾性連結部３２６ａ、３２６ｂと、弾性連結部３２６ａ、３２６ｂの先端部にそれぞれ設けられ、互いに上下方向に対向して配置された上方側接点部３２１ａ、下方側接点部３２１ｂとを有している（図１において弾性連結部３２６ｂは不図示）。
【００２３】
第１切換接点部材３２０ａと第２切換接点部材３２０ｂとは、突出部３２２ａ、３２２ｂを孔部３２４に挿通させて、当該突出部３２２ａ、３２２ｂを孔部３２４の周囲で変形させることにより一体化される。このように、切換接点３２１を有する第２切換接点部材３２０ｂと、外部出力端子３２３を有する第１切換接点部材３２０ａとを異なる金属板により構成していることから、切換接点３２１を構成する高価な金属材料の使用量を抑えることができるので、低コスト化を実現すると共に、外部出力端子３２３の引き出し位置の自由度を高めることができるものとなっている。
【００２４】
切換接点３２１は、これらの一対の上方側接点部３２１ａ、下方側接点部３２１ｂで構成されている。弾性連結部３２６ａ、３２６ｂは、側面視にて略Ｕ字状に折り曲げ形成されており、上方側接点部３２１ａと下方側接点部３２１ｂとを弾接させている。上方側接点部３２１ａ、下方側接点部３２１ｂとは、後述するコイルばね４の弾性腕部４０２を挟持可能に構成されている。このように弾性腕部４０２を上方側接点部３２１ａ、下方側接点部３２１ｂで挟持することで、スイッチ装置１においては接触安定性を確保できるものとなっている。
【００２５】
また、上方側接点部３２１ａ及び下方側接点部３２１ｂの一端は、それぞれ上方側及び下方側に折り曲げられており、後述するコイルばね４の一方の弾性腕部４０２を切換接点３２１の弾接面に案内する案内部３２７を構成している。図２（ｂ）に示すように、下方側接点部３２１ｂは、上方側接点部３２１ａよりも幅広の部分を有している。このように構成することにより、下方側接点部３２１ｂの幅広部分を上方側接点部３２１ａから露出させることができ、この幅広部分に可動接点３２１の潤滑材を容易に塗布することができるものとなっている。
【００２６】
コイルばね４は、可動接点を構成するものであり、巻回部４０１と、この巻回部４０１から所定の開放角度を存して延びる一対の弾性腕部４０２、４０３とを有している。これらの弾性腕部４０２、４０３は、巻回部４０１から直線状に延びており、弾性腕部４０２が弾性腕部４０３よりも収納部２０１の内底面２０２側に配置されている。特に、コイルばね４は、弾性腕部４０２、４０３の中間位置であって、巻回部４０１の中央部を通る線で線対称に設けられており、図１に示す上下方向を反対にした場合にも、同一形状を確保できる構成となっている。弾性腕部４０２は、操作部材５の回動操作に応じて切換接点３２１と接離するように構成されており、実用新案登録請求の範囲においては、これを「一方の弾性腕部」と呼んでいる。一方、弾性腕部４０３は、固定接点３１１と常時当接するように構成されており、実用新案登録請求の範囲においては、これを「他方の弾性腕部」と呼んでいる。
【００２７】
操作部材５は、例えば、絶縁性の樹脂材料で成形され、基部５０１と、この基部５０１の一部から延出する操作部５０２とを有している。基部５０１には、ケース２の軸部２０４が挿通される孔５０３が形成されている。また、基部５０１の上面には、スイッチ装置１が組み立てられた際に取付部材６の下面に摺接可能な突出部５０４、５０５が設けられている。突出部５０４は、孔５０３の周囲に設けられ、突出部５０５は、基部５０１と操作部５０２との中間位置近傍に設けられている。これらの突出部５０４、５０５は、取付部材６の下面との接触面積を低減して操作部材５の操作性を向上する役割を果たしている。さらに、操作部材５の下面であって、基部５０１と操作部５０２との中間位置近傍には、コイルばね４の弾性腕部４０２を駆動する駆動部５０６が設けられている。
【００２８】
取付部材６は、例えば、金属板に打ち抜き加工及び折り曲げ加工を施して形成され、ケース２の収納部２０１に対応する略矩形状を有する平面形状部６０１と、この平面形状部６０１の側縁部から下方側に垂下して設けられた複数の係合片６０２とを有している。それぞれの係合片６０２は、概してＬ字状に設けられており、ケース２の側壁部２０５ａ、２０５ｂに設けられた突出片２０５ｃと係合可能に設けられている。
【００２９】
このような構成を有するスイッチ装置１を組み立てると、図３に示すように、ケース２の収納部２０１にコイルばね４及び操作部材５の一部が収納された状態において、取付部材６が収納部２０１を覆うように被せられる。この場合、取付部材６は、収納部２０１を平面形状部６０１で覆った状態で、係合片６０２を突出片２０５ｃと係合させてケース２に取り付けられる。操作部材５の操作部５０２は、ケース２の側壁部２０６ｂに設けられた開口部２０７からその一部を突出した状態となっており、操作者からの回動操作を受け付け可能に構成されている。
【００３０】
次に、本実施の形態に係るスイッチ装置１の内部構成について説明する。図４は、本実施の形態に係るスイッチ装置１を組み立てた状態の側断面図である。図５及び図６は、それぞれ図３に示すスイッチ装置１から取付部材６を取り除いた状態のスイッチ装置の斜視図及び上面図である。図４においては、スイッチ装置１が有する切換接点３２１よりも外部出力端子３２３側の位置における側壁部２０５ｂと平行な断面を示している。
【００３１】
図４に示すように、スイッチ装置１の内部においては、収納部２０１に設けられた突出部２０３が巻回部４０１を挿通するようにコイルばね４が配置されている。そして、図５及び図６に示すように、その上方に軸部２０４が基部５０１の孔５０３を挿通するように操作部材５が配置されている。この場合において、コイルばね４の弾性腕部４０３は、固定接点３１１を構成する起立部３１３及び折り曲げ部３１４に係止された状態となっており、弾性腕部４０２は、操作部材５の駆動部５０６の側面に係止された状態となっている。弾性腕部４０２は、図４に示すように、切換接点３２１に対応する位置、より具体的には、切換接点３２１の案内部３２７に対応する位置に配置されている。
【００３２】
なお、ケース２の下面には、図４に示すように、スイッチ装置１が実装されるプリント基板への位置決めするための一対の突出片２２０ａ、２２０ｂが設けられている。突出片２２０ａ、２２０ｂは、概して円柱形状を有すると共に、その下端部にテーパ面が設けられている。このように位置決め用の突出片２２０ａ、２２０ｂを設けることにより、簡単にプリント基板にスイッチ装置１を組み付けることが可能となる。これらの突出片２２０ａ、２２０ｂを備えることが実施の形態として好ましいが、必ずしも備えなくても良い。
【００３３】
ここで、ケース２の詳細な構成について説明すると共に、このケース２にコイルばね４及び操作部材５を組み込む際の工程について説明する。図７は、本実施の形態に係るスイッチ装置１が有するケース２の上面図である。図８は、本実施の形態に係るスイッチ装置１が有するケース２にコイルばね４を組み込んだ状態の上面図である。
【００３４】
ケース２においては、図７に示すように、収納部２０１の内底面２０２に接点部材３がインサート成形等により埋設されている。固定接点部材３１０及び切換接点部材３２０の平面形状部３１２、３２２の一部は、内底面２０２から露出しており、それぞれの露出部分から固定接点３１１、第２切換接点部材３２０ｂの一部が露出して設けられている。なお、切換接点部材３２０においては、第１切換接点部材３２０ａの突出部３２２ａ、３２２ｂを、第２切換接点部材３２０ｂの孔部３２４に挿通させて当該孔部３２４の周囲で変形させることで一体化されている。そして、これらの突出部３２２ａ、３２２ｂ及び孔部３２４の接合部分が内底面２０２に埋設された状態となっている。
【００３５】
収納部２０１において、突出部２０３は、ケース２（収納部２０１）の隅部（図７に示すＡ）に対応する位置に設けられており、その上面に偏芯した状態で軸部２０４が設けられている。切換接点３２１は、突出部２０３が設けられた隅部と対角線（図７に一点鎖線で示す）上に位置する他の隅部（図７に示すＢ）側の位置に配置されている。切換接点３２１を構成する上方側接点部３２１ａ及び下方側接点部３２１ｂは、上記対角線と略直交する方向（図７に示す二点鎖線で示す方向）に延伸して設けられている。
【００３６】
突出部２０３の周囲には、コイルばね４の巻回部４０１を収容する収容部２０８が設けられている。そして、この収容部２０８の近傍であって、ケース２の側壁部２０６ｂの開口部２０７側の端部には、コイルばね４を組み込む際に弾性腕部４０２の基端部近傍を係止する係止片２０９が設けられている。さらに、収納部２０１の内底面２０２における切換接点３２１の案内部３２７側の端部近傍には、コイルばね４の弾性腕部４０２を切換接点３２１（案内部３２７）に案内する案内凸部２１０が設けられている。この案内凸部２１０は、開口部２０７側から収納部２０１の内側に向けて延伸する形状を有している。
【００３７】
収納部２０１に金属線材からなるコイルばね４を組み込む際には、図８に示すように、巻回部４０１が収容部２０８に収容されるように配置し、固定接点３１１（起立部３１３及び折り曲げ部３１４）で弾性腕部４０３を係止すると共に、係止片２０９で弾性腕部４０２の基端部近傍を係止する。このように弾性腕部４０３が固定接点３１１の折り曲げ部３１４で係止されることから、コイルばね４をケース２に組み付ける際の作業を簡素化でき、スイッチ装置１の組立性を向上できるものとなっている。なお、この場合において、弾性腕部４０３は、固定接点３１１に対して起立部３１３及び折り曲げ部３１４の２箇所で接触した状態となっており、両者の電気的な接続（導通）の信頼性を高めることができるものとなっている。また、コイルばね４は、弾性腕部４０２、４０３が直線状に延伸すると共に、弾性腕部４０２、４０３の中間位置であって巻回部４０１の中央部を通る線で線対称に設けられていることから、巻回部４０１を突出部２０３に挿通する際の方向性を無くすことができ、生産性を向上することができるものとなっている。
【００３８】
操作部材５は、このように配置されたコイルばね４の上方側から、軸部２０４を孔５０３に挿通させると共に、コイルばね４の弾性腕部４０２を駆動部５０６の内側側面に係合させるように取り付けられる（図５及び図６参照）。この場合、コイルばね４の巻回部４０１は、突出部２０３に挿通された状態でケース２と操作部材５の平板状をなした基部５０１との間で保持されることから、組立途中でコイルばね４が外れる事態を防止でき、スイッチ装置１の組立性を向上できるものとなっている。このように操作部材５が取り付けられた状態において、操作部材５の上面は、ケース２の側壁部２０５ａ、２０５ｂ、２０６ａ、２０６ｂの上端部よりも僅かに低い位置に配置されると共に、突出部５０４、５０５が側壁部２０５ａ、２０５ｂ、２０６ａ、２０６ｂの上端部と略同一の高さの位置に配置されることとなる。これにより、取付部材６がケース２に取り付けられた場合にも、その下面に円弧状の突出部５０４、５０５を摺接させた状態で操作部材５を回動させることができるものとなっている。
【００３９】
次に、本実施の形態に係るスイッチ装置１における動作について説明する。図９及び図１０は、それぞれ本実施の形態に係るスイッチ装置１における動作を説明するための上面図である。図９においては、コイルばね４を介して固定接点３１１と切換接点３２１とが導通状態に切り換えられる時点のスイッチ装置１を示し、図１０においては、操作部材５が最大限に回動操作された時点のスイッチ装置１を示している。なお、図９及び図１０に示すスイッチ装置１においては、説明の便宜上、取付部材６を省略している。
【００４０】
図６に示す状態から、操作者によって操作部材５に対して回動操作が行われると、軸部２０４の中心を回動支点として操作部材５が回動する。操作部材５の基部５０１と案内凸部２１０との間に配置されているコイルばね４の弾性腕部４０２は、操作部材５の回動に伴って駆動部５０６により切換接点３２１側に駆動される。そして、図９に示すように、弾性腕部４０２が切換接点３２１に到達した時点で、コイルばね４を介して固定接点３１１と切換接点３２１とが導通状態に切り換えられる。このとき、弾性腕部４０２は、切換接点３２１の案内部３２７によって上方側接点部３２１ａと下方側接点部３２１ｂの弾接面に案内されている。なお、少なくとも弾性腕部４０２が案内部３２７で案内されるようになるまでは、弾性腕部４０２の移動は案内凸部２１０によって案内される。
【００４１】
そして、図９に示す状態から更に操作部材５に対する回動操作が行われると、図１０に示すように、弾性腕部４０２が上方側接点部３２１ａと下方側接点部３２１ｂとの弾接面の間を時計回転方向に進んでいく。この場合において、切換接点３２１は、操作部材５の回動支点を構成する軸部２０４が配置された収納部２０１の隅部と、対角線上に配置された他の隅部とを繋ぐ対角線と略直交する方向に延伸していることから、コイルばね４の弾性腕部４０２との接触位置を略同一箇所に統一することができるので、異なる位置で弾性腕部４０２と接触する場合と比べて安定した復帰性を確保することが可能となる。
【００４２】
このように本実施の形態に係るスイッチ装置１においては、可動接点を構成するコイルばね４の巻回部４０１と切換接点３２１とが、矩形状のケース２の対角線上に対向配置されるようにしたことから、収納部２０１の隅部を有効に活用することができるので、スペース効率に優れ、小型化の要請に対応することができるスイッチ装置１を提供することが可能となる。
【００４３】
なお、本考案は上記実施の形態に限定されず、種々変更して実施することが可能である。上記実施の形態において、添付図面に図示されている大きさや形状などについては、これに限定されず、本考案の効果を発揮する範囲内で適宜変更することが可能である。その他、本考案の目的の範囲を逸脱しない限りにおいて適宜変更して実施することが可能である。
【００４４】
上記実施の形態においては、第２切換接点部材３２０ｂにおいて、切換接点３２１（上方側接点部３２１ａ、下方側接点部３２１ｂ）をその中央近傍に配置された弾性連結部３２６ａ、３２６ｂで連結する場合について説明している。しかしながら、切換接点３２１（上方側接点部３２１ａ、下方側接点部３２１ｂ）を連結する構成については、これに限定されるものではなく適宜変更が可能である。例えば、切換接点３２１の両端部の間に複数の弾性連結部を設けても良い。
【００４５】
図１１は、本実施の形態に係るスイッチ装置１が有する第２切換接点部材３２０ｂの他の構成を説明するための図である。図１１（ａ）においては、他の構成を有する第２切換接点部材３２０ｂを示し、同図（ｂ）においては、上記実施の形態に係る第２切換接点部材３２０ｂを示している。図１１（ａ）に示す第２切換接点部材３２０ｂは、第１の弾性連結部３２８ａ、３２８ｂ、並びに、第２の弾性連結部３２９ａ、３２９ｂを備え、これらの端部に切換接点３２１が連結されている点で上記実施の形態に係る第２切換接点部材３２０ｂと相違する。
【００４６】
上記実施の形態に係る弾性連結部３２６ａ、３２６ｂで切換接点３２１を連結した場合には、図１１（ｂ）に示すように、接点荷重が不均一になる事態が発生し得る。具体的には、弾性連結部３２６ａ、３２６ｂとの接続部分以外の部分（端部近傍）において、接点荷重が低くなる。これにより、弾性腕部４０２が最大限まで移動すると、初期状態に復帰し難くなる事態が発生し得る。しかしながら、図１１（ａ）に示すように、複数の弾性連結部３２８、３２９（第１の弾性連結部３２８ａ、３２８ｂ、並びに、第２の弾性連結部３２９ａ、３２９ｂ）で切換接点３２１を連結した場合には、切換接点３２１の全体に亘って接点荷重を均一化することが可能となる。これにより、上方側接点部３２１ａ、下方側接点部３２１ｂで挟持される弾性腕部４０２の移動量が大きなものであっても、コイルばね４自身の弾性力により確実に初期状態に弾性腕部４０２を復帰させることが可能となる。
【符号の説明】
【００４７】
１  スイッチ装置
２  ケース
２０１  収納部
２０２  内底面
２０３  突出部
２０４  軸部
２０５ａ、２０５ｂ、２０６ａ、２０６ｂ  側壁部
２０７  開口部
２０８  収容部
２０９  係止片
２１０  案内凸部
２２０  突出片
３  接点部材
３１０  固定接点部材
３１１  固定接点
３１２  平面形状部
３１３  起立部
３１４  折り曲げ部
３１５  外部出力端子
３２０  切換接点部材
３２０ａ  第１切換接点部材
３２０ｂ  第２切換接点部材
３２１  切換接点
３２１ａ  上方側接点部
３２１ｂ  下方側接点部
３２２  平面形状部
３２２ａ、３２２ｂ  突出部
３２３  外部出力端子
３２４  孔部
３２５  固定面部
３２６ａ、３２６ｂ  弾性連結部
３２７  案内部
３２８ａ、３２８ｂ、３２９ａ、３２９ｂ  弾性連結部
４  捻りコイルばね（コイルばね）
４０１  巻回部
４０２、４０３  弾性腕部
５  操作部材
５０１  基部
５０２  操作部
５０３  孔
５０４、５０５  突出部
５０６  駆動部
６  取付部材
６０１  平面形状部
６０２  係合片
【図１】
0003155402.tif 000003
【図２】
0003155402.tif 000004
【図３】
0003155402.tif 000005
【図４】
0003155402.tif 000006
【図５】
0003155402.tif 000007
【図６】
0003155402.tif 000008
【図７】
0003155402.tif 000009
【図８】
0003155402.tif 000010
【図９】
0003155402.tif 000011
【図１０】
0003155402.tif 000012
【図１１】
0003155402.tif 000013